(57)【要約】【課題】外部入力端子付オーディオ処理装置を含めた後段の装置に最適化された音量レベルを送出することができるオーディオ再生装置を提供する。【解決手段】ＣＤプレーヤ１０は外部に接続されるカセットアダプタ２０又はヘッドフォン５０に基づいて、音量レベルや、低域押し上げなどの音質調整を切り換える。カセットアダプタ２０を介してカーオーディオ装置のカセットテープレコーダ３０に接続されたときには、ＣＤプレーヤ１０のボリュームダイヤルの設定位置にかかわらず、カセットアダプタ２０を含めた後段のカセットテープレコーダ装置３０に最適化された音量レベルを送出する。また、ＣＤプレーヤ１０にて低域押し上げ処理をＯＮにしていても、カセットアダプタ２０を含めた後段のカセットテープレコーダ装置３０に接続されるときには強制的にＯＦＦとされ、カーステレオ装置から出力された音の歪みを防ぐことができる。【選択図】  図１
2004303349.tif 000002
【特許請求の範囲】
【請求項１】
オーディオ信号を記録している記録媒体から当該オーディオ信号を読み出すオーディオ信号読み出し手段と、
前記オーディオ信号読み出し手段が読み出したオーディオ信号に再生のための信号処理を施す信号処理手段と、
前記信号処理手段によって再生のための信号処理が施されて得られた再生信号に音量及び／又は音質に関するオーディオ制御処理を施すオーディオ制御処理手段と、
外部に接続される外部入力端子付オーディオ処理装置の種類に基づいて前記オーディオ制御処理手段のオーディオ制御処理を切り換える制御手段と
を備えることを特徴とするオーディオ再生装置。
【請求項２】
前記外部入力端子付オーディオ処理装置の接続端子に接続される内部端子を有する出力手段をさらに備え、前記制御手段は前記外部入力端子付オーディオ処理装置の接続端子の構造に基づいて前記出力手段から供給される検出信号に応じて前記オーディオ制御処理手段におけるオーディオ制御処理を切り換えることを特徴とする請求項１記載のオーディオ再生装置。
【請求項３】
前記オーディオ制御処理手段は、前記外部入力端子付オーディオ処理装置の種類に基づいて前記再生信号の音量を前記外部入力端子付オーディオ処理装置に最適化することを特徴とする請求項１記載のオーディオ再生装置。
【請求項４】
前記オーディオ制御処理手段は、前記外部入力端子付オーディオ処理装置の種類に基づいて前記再生信号の低域及び／又は高域の押し上げ機能を停止することを特徴とする請求項１記載のオーディオ再生装置。
【請求項５】
前記外部入力端子付オーディオ処理装置は、ヘッドフォン装置又は信号伝送装置であることを特徴とする請求項１記載のオーディオ再生装置。
【請求項６】
光ディスク、光磁気ディスク、ハードディスク、半導体メモリ、磁気テープを記録媒体とし、かつライン出力端子を持たない携帯型のオーディオ再生装置であることを特徴とする請求項１記載のオーディオ再生装置。
【請求項７】
オーディオ情報を記録している記録媒体から当該オーディオ信号を読み出すオーディオ信号読み出し工程と、
前記オーディオ信号読み出し工程が読み出したオーディオ信号に再生のための信号処理を施す信号処理工程と、
前記信号処理工程によって再生のための信号処理が施されて得られた再生信号に音量及び／又は音質に関するオーディオ制御処理を施すオーディオ制御処理工程と、
外部に接続される外部入力端子付オーディオ処理装置の種類に基づいて前記オーディオ制御処理工程のオーディオ制御処理を切り換えるオーディオ制御処理切り換え工程と
を備えることを特徴とするオーディオ再生方法。
【請求項８】
前記オーディオ制御処理工程は、前記外部入力端子付オーディオ処理装置の種類に基づいて前記再生信号の音量を前記外部入力端子付オーディオ処理装置に最適化することを特徴とする請求項７記載のオーディオ再生方法。
【請求項９】
前記オーディオ制御処理工程は、前記外部入力端子付オーディオ処理装置の種類に基づいて前記再生信号の低域及び／又は高域の押し上げ機能を停止することを特徴とする請求項７記載のオーディオ再生方法。
【発明の詳細な説明】
【０００１】
【発明の属する技術分野】
本発明はオーディオ再生装置及びオーディオ再生方法に関し、特に光ディスク、光磁気ディスク、ハードディスク、半導体メモリ、磁気テープ等を記録媒体とし、かつライン出力端子を持たない携帯型のオーディオ再生装置に関する。また、前記携帯型のオーディオ再生装置にあってオーディオ再生をするためのオーディオ再生方法に関する。
【０００２】
【従来の技術】
直径１２ｃｍ又は８ｃｍの光ディスクに音楽データをディジタル記録したコンパクトディスク（Ｃｏｍｐａｃｔ  Ｄｉｓｋ：ＣＤ）や、直径１２ｃｍ等のディスクにレーザ光と磁場を利用して音楽データ等を書き換え可能にディジタル記録する光磁気ディスク（Ｍａｇｎｅｔｏ  Ｏｐｔｉｃａｌ  Ｄｉｓｋ：ＭＯ）が専用の携帯型オーディオ再生装置、いわゆるＣＤプレーヤや、ＭＯプレーヤにて再生されるようになった。また、ＡＴＲＡＣ（Ａｄａｐｔｉｖｅ  Ｔｒａｎｓｆｏｒｍ  Ａｃｏｕｓｔｉｃ  Ｃｏｄｉｎｇ）というデータ圧縮方式を採用し、直径６４ｍｍの光ディスク又は光磁気ディスクに音楽データをディジタル記録できるミニディスク（Ｍｉｎｉ  Ｄｉｃｓ：ＭＤ、登録商標）や、直径１２ｃｍで大量の音楽データ等を記録できるＤＶＤ（Ｄｉｇｉｔａｌ  Ｖｅｒｓａｔｉｌｅ  Ｄｉｓｋ）、特に音声データに限ってはＤＶＤ−Ａｕｄｉｏもそれぞれ専用の携帯型オーディオ再生装置（ＭＤプレーヤ、ＤＶＤプレーヤ）にて再生されるようになった。さらに、音楽データを記録した半導体メモリや、ハードディスク（ＨＤ）も同様である。もちろん、音楽データを記録したテープ状記録媒体も専用の携帯型オーディオ再生装置にて再生されている。
【０００３】
これら携帯型のオーディオ再生装置は、公共交通機関乗車中や、歩行中等における個人での使用、あるいは室内での個人使用を前提とした使用状況を想定して開発された。このため、ヘッドフォン（Ｈｅａｄｐｈｏｎｅ）をオーディオ出力装置として用い、再生装置本体又はリモートコントローラに配設されているボリュームダイヤルやスイッチ等によって音量（ｖｏｌｕｍｅ）が調整されるようになっている。携帯型オーディオ再生装置側にヘッドフォン用ジャックを設け、ヘッドフォン側のプラグが挿入されることで、ユーザの耳に装着されるヘッドフォンのスピーカに再生装置の出力が電気的に接続するようになされ、ユーザの耳には前記オーディオ出力が放音される。
【０００４】
このように、前記携帯型のオーディオ再生装置は、オーディオ出力装置としてヘッドフォンを用いれば携帯型装置としての機能を充分に果たすので、ライン出力（ＬＩＮＥ  ＯＵＴ）端子を設けていなかった。もちろん、ライン出力端子を設ければコスト面や小型化の妨げにもなった。ライン出力端子は、増幅回路を通さずに、外部機器との間でアナログ音声信号を直接入出力するための端子であり、前記ヘッドフォン出力や、マイク入力、スピーカ出力のような増幅を伴う端子とは区別されている。
【０００５】
ところで、従来、本願出願人による特開平６−１８７７１４号公報に開示されている信号伝送装置がカセットアダプタ又はカーコネクティングパック（商品名）として商品化されている。カセットテープ形状のケース内にリールハブの回転検出手段を有する信号伝送装置であって、当該信号伝送装置がカセットテープレコーダ装置に装着されると、上記回転検出手段がリールハブの回転を検出し、この回転検出信号を制御信号として信号伝送線を介して、携帯型再生装置、例えばＣＤプレーヤ装置に供給する構成である。この構成において、上記制御信号は、リールハブの回転に応じたものとなるため、該制御信号により、上記カセットテープレコーダ装置の動作状態を知ることができ、該カセットテープレコーダ装置の動作状態に合わせて前記ＣＤプレーヤ装置の動作を制御することができる。このため、このようなシステムを車に設けた場合、上記カセットテープレコーダ装置を取り扱う感覚で上記ＣＤプレーヤ装置を操作することができる。
【０００６】
【特許文献１】
特開平６−１８７７１４号
【０００７】
【発明が解決しようとする課題】
しかし、前記特許文献１に記載の信号伝送装置に、前記ＣＤプレーヤや、或いはＭＤプレーヤ等を接続し、カセットテープレコーダ装置に接続されたスピーカから音を出すと、前記携帯型のＣＤプレーヤ及びＭＤプレーヤにライン出力端子がないため、以下のような不都合が生じることがある。
【０００８】
前記携帯型のＣＤプレーヤ又はＭＤプレーヤにて、ボリュームダイヤルにより音量を最大（ＶＯＬ  ＭＡＸ）にしたまま前記信号伝送装置に接続すると、カセットテープレコーダ装置のスピーカからは急に大きな音が出てしまう。
【０００９】
また、前記カセットテープレコーダ装置の入力レベルと、前記ＣＤプレーヤ又はＭＤプレーヤのヘッドフォンで聞くときのボリュームレベルに対するダイヤルの位置が異なるため、普段ヘッドフォンで聞いていて、今度は車の中で聞く場合、ボリュームダイヤルの位置を調整しなければならず、操作が煩わしい。ヘッドフォンで前記プレーヤの再生音を聞くときは、増幅を伴ったヘッドフォン出力端子からの増幅信号を聞いている。増幅の度合いは、プレーヤ側のボリューム調整による。一方、カーステレオ側にも独自のボリューム調整機能がある。プレーヤ側のボリューム調整のままの音量では、カーステレオ側で最適な出力とならないことがある。カーステレオ側のボリューム調整で再調整しなければならない。
【００１０】
また、ＣＤ又はＭＤプレーヤが固定式の低域押し上げ（ＢＡＳＳ  ＢＯＯＳＴ）回路を備えたモデルの場合には、ボリュームの位置にかかわらず、低域のみ、或いは高域のレベルをも押し上げる。ＢＯＯＳＴ回路をＯＮ（プレーヤで使用している状態のとき）にしたまま、車の中で前記信号伝送装置に接続してカセットテープレコーダ装置で聞いた場合、カセットテープレコーダ装置のボリュームを上げて最適レベルを探すがカセットテープレコーダ装置の最適レベルに達する前に音が歪んでしまうことがある。
【００１１】
本発明は、前記実情に鑑みてなされたものであり、ボリュームダイヤルの設定位置にかかわらず外部入力端子付オーディオ処理装置を含めた後段の装置に最適化された音量レベルを送出することができるオーディオ再生装置及びオーディオ再生方法の提供を目的とする。
【００１２】
また、本発明は、前記実情に鑑みてなされたものであり、低域押し上げ処理等を行う音質調整回路をＯＮにしていても、前記外部オーディオ処理装置を含めた後段の装置に接続されるときには強制的に音質調整回路がＯＦＦとされ、後段の装置から出力された音の歪みを防ぐことのできるオーディオ再生装置及びオーディオ再生方法の提供を目的とする。
【００１３】
【課題を解決するための手段】
本発明に係るオーディオ再生装置は、前記課題を解決するために、オーディオ信号を記録している記録媒体から当該オーディオ信号を読み出すオーディオ信号読み出し手段と、前記オーディオ信号読み出し手段が読み出したオーディオ信号に再生のための信号処理を施す信号処理手段と、前記信号処理手段によって再生のための信号処理が施されて得られた再生信号に音量及び／又は音質に関するオーディオ制御処理を施すオーディオ制御処理手段と、外部に接続される外部入力端子付オーディオ処理装置（処理装置としたのは、カーコネクティングパックのような信号伝送装置、ヘッドフォンのような出力装置、或いはＦＭトランスミッタを含めるため）の種類に基づいて前記オーディオ制御処理手段のオーディオ制御処理を切り換える制御手段とを備える。このオーディオ再生装置は、外部に接続される外部入力端子付オーディオ処理装置の種類に基づいて前記オーディオ制御処理手段のオーディオ制御処理を切り換える。
【００１４】
本発明に係るオーディオ再生方法は、前記課題を解決するために、オーディオ信号を記録している記録媒体から当該オーディオ信号を読み出すオーディオ信号読み出し工程と、前記オーディオ信号読み出し工程が読み出したオーディオ信号に再生のための信号処理を施す信号処理工程と、前記信号処理工程によって再生のための信号処理が施されて得られた再生信号に音量及び／又は音質に関するオーディオ制御処理を施すオーディオ制御処理工程と、外部に接続される外部入力端子付オーディオ処理装置の種類に基づいて前記オーディオ制御処理工程によって前記再生信号に施されるオーディオ制御処理を切り換えるオーディオ制御処理切り換え工程とを備える。
【００１５】
【発明の実施の形態】
以下、本発明のいくつかの実施の形態について説明する。第１の実施の形態は、携帯型ＣＤプレーヤを車載カーステレオ装置のカセットテープレコーダ装置に、前記特許文献１記載の信号伝送装置の具体例であるカセットアダプタを介して接続し、車載カーステレオ装置のスピーカから出力するＣＤオーディオ再生システムである。
【００１６】
図１において、このＣＤオーディオ再生システム１は、携帯型ＣＤプレーヤ１０と、この携帯型ＣＤプレーヤ１０のヘッドフォンジャック１１に接続される接続用プラグ２１をケーブル２２の先端に設けているカセットアダプタ２０と、このカセットアダプタ２０がカセット挿入口３１に挿入されるアンプ内蔵の車載カーステレオ装置のカセットテープレコーダ装置３０と、このカセットテープレコーダ装置３０にケーブル４１Ｌ、４１Ｒで接続されるスピーカ４０Ｌ、４０Ｒからなる。
【００１７】
ＣＤプレーヤ１０によって再生されたＣＤオーディオソースをカーステレオ装置で聞く場合は、カセットアダプタ２０をカセットテープレコーダ３０のカセット挿入口３１から装着し、接続用プラグ２１を携帯型ＣＤプレーヤ１０のヘッドフォンジャック１１に差し込み、携帯型ＣＤプレーヤ及びカセットテープレコーダ装置３０を再生状態にする。これにより、携帯型ＣＤプレーヤ１０で再生されたオーディオ信号はヘッドフォンジャック１１、接続用プラグ２１及びケーブル２２を通してカセットアダプタ２０に送出され、その内部回路を通して電磁変換部に加えることでオーディオ信号が電磁変換され、カセットテープレコーダ３０の磁気ヘッドに供給される。この磁気ヘッドでは、電磁信号をオーディオ信号に変換し、イコライザや増幅器等の再生回路を通し、ケーブル４１Ｌ、４１Ｒを介してスピーカ４０Ｌ、４０Ｒに出力することにより、ＣＤに記録されたオーディオを車載のカーステレオ装置で聞くことができる。
【００１８】
また、このＣＤオーディオ再生システム１は、携帯型ＣＤプレーヤ１０のヘッドフォンジャック１１に接続される接続用プラグ５１をケーブル５２の先端に設け、左右のスピーカ５３Ｌ、５３Ｒに密着された耳にＣＤオーディオ信号を出力するヘッドフォン５０も選択的に含まれる。
【００１９】
この携帯型ＣＤプレーヤ１０は、ヘッドフォンジャック１１にヘッドフォン５０の接続用プラグ５１を接続すれば携帯型装置としての機能を充分に果たすので、ライン出力（ＬＩＮＥ  ＯＵＴ）端子を設けていない。このため、カセットテープレコーダ装置３０のみを再生機として備えた車載のカーステレオ装置にあって、カセットアダプタ２０を用いて携帯型ＣＤプレーヤからのＣＤオーディオも聞けるようにしたＣＤオーディオ再生システム１ではヘッドフォンジャック１１に接続用プラグ２１を接続することになる。
【００２０】
従来、このようなシステムに組み込む前に、携帯型ＣＤプレーヤにてボリュームダイヤルにより音量を最大（ＶＯＬ  ＭＡＸ）にしたまま、カセットアダプタに接続すると、カセットテープレコーダ装置のスピーカからは急に大きな音が出てしまった。また、カセットテープレコーダ装置の入力レベルと、ＣＤプレーヤのヘッドフォンで聞くときのボリュームレベルに対するダイヤルの位置が異なるため、システムを構成したときはボリュームダイヤルの位置を調整しなければならず、操作が煩わしかった。また、ＣＤプレーヤが固定式の低域押し上げ（ＢＡＳＳ  ＢＯＯＳＴ）回路を備えたモデルであり、ＢＯＯＳＴ回路をＯＮにしたまま、カセットアダプタを接続してカセットテープレコーダ装置で聞く場合、カセットテープレコーダ装置のボリュームを上げて最適レベルを探すことになるがカセットテープレコーダ装置の最適レベルに達する前に音が歪んでしまうことがあった。
【００２１】
そこで、前記ＣＤオーディオ再生システム１では、ＣＤプレーヤ１０が外部に接続されるカセットアダプタ２０又はヘッドフォン５０に基づいて、音量レベルや、前記低域押し上げなどの音質調整を切り換えて行う。例えば、カセットアダプタ２０を介してカーオーディオ装置のカセットテープレコーダ３０に接続されたときには、ＣＤプレーヤ１０のボリュームダイヤルの設定位置にかかわらず、カセットアダプタ２０を含めた後段のカセットテープレコーダ装置３０に最適化された音量レベルを送出する。また、ＣＤプレーヤ１０にて低域押し上げ処理を行う音質調整回路をＯＮにしていても、カセットアダプタ２０を含めた後段のカセットテープレコーダ装置３０に接続されるときには強制的に音質調整回路がＯＦＦとされ、カーステレオ装置から出力された音の歪みを防ぐことができる。
【００２２】
このため、図２において、ＣＤプレーヤ１０は、ＣＤ２からオーディオ情報を読み出す光ピックアップ１２と、光ピックアップ１２が読み出したオーディオ情報に再生のための信号処理を施す信号処理部１０１と、信号処理部１０２によって再生のための信号処理が施された再生信号に音量及び／又は音質に関するオーディオ制御処理を施すオーディオ制御処理部１０５と、外部に接続されるカセットアダプタ２０やヘッドフォン５０のような外部オーディオ処理装置に基づいてオーディオ制御処理部１０５によって前記再生信号に施されるオーディオ制御処理を切り換えるマイクロコンピュータ１５とを備える。信号処理部１０２と、オーディオ制御処理部１０５と、後述するＤ／Ａ変換器１０８は、ディジタル信号処理プロセッサ（Ｄｉｇｉｔａｌ  Ｓｉｇｎａｌ  Ｐｒｏｃｅｓｓｏｒ：ＤＳＰ）を構成する。
【００２３】
信号処理部１０１は、ＲＦアンプ１０２にて、光ピックアップ１２が読み出したオーディオ情報に関する光量の変化を電気信号に変換し、この電気信号に所定の演算を施すことによって、記録時にＥＦＭ変調されたデータを出力する。このＥＦＭ変調データは、ＥＦＭデコーダ１０３により復調されて再生オーディオデータとされ、メモリコントローラ１０４に供給される。メモリコントローラ１０４は、前記再生オーディオデータをＤＲＡＭ１４に書き込み／読み出しながらオーディオ制御処理部１０５に送る。
【００２４】
オーディオ制御処理部１０５は、低域押し上げ（ＢＡＳＳ  ＢＯＯＳＴ）回路１０６と、音量レベル回路１０７とを備えてなり、図示しない低域押し上げスイッチや、ボリュームダイヤルに対するユーザの操作に応じて、前記再生オーディオデータに所定の処理を施す。低域押し上げ回路１０５は、前記スイッチによりＢＡＳＳ  ＢＯＯＳＴモードが選択されたときには、ボリュームの位置にかかわらず、例えば図３に示すように、オーディオデータの低域のみ、或いは高域のレベルをも押し上げる。図３では、１００Ｈｚ以下の低域において＋６ｄＢ又は＋１５ｄＢの低域押し上げを示している。また、０ｋＨｚ以上の高域においても＋６ｄＢの高域押し上げを示している。音量レベル回路１０７は、ボリュームダイヤルが例えば右回転されたときには音量を増加し、左回転されたときには減少する。
【００２５】
オーディオ制御処理部１０５で前記音質調整や、音量レベルが可変されたオーディオデータは、Ｄ／Ａ変換器１０８に供給され、アナログオーディオ信号とされてからヘッドフォン出力部１６に供給される。
【００２６】
ヘッドフォン出力部１６は、外部オーディオ処理装置であるカセットアダプタ２０の接続用プラグ２１や、ヘッドフォン５０の接続プラグ５１に接続される内部端子であるヘッドフォンジャック１１を備えている。ヘッドフォン出力部１６は、ヘッドフォンジャック１１に接続された前記接続用プラグ２１又は接続用プラグ５１の構造に基づいた検出信号を生成する構成であり、検出信号をマイクロコンピュータ１５に供給する。
【００２７】
マイクロコンピュータ１５は、ヘッドフォン出力部１６から供給される前記検出信号に基づいてオーディオ制御処理部１０５におけるオーディオ制御処理を切り換える。例えば、前記検出信号が外部オーディオ処理装置はカセットアダプタ２０であることを示す接続プラグ２１に関するものであったときには、ＣＤプレーヤ１０のボリュームダイヤルの設定位置にかかわらず、カセットアダプタ２０を含めた後段のカセットテープレコーダ装置３０に最適化された音量レベルを音量レベル回路１０７にて調整し送出する。これによって、大きな音がスピーカ４０Ｌ、４０Ｒから出ることはない。また、低域押し上げ回路１０６は、ＣＤプレーヤ１０にて低域押し上げ処理がＯＮにされていても、カセットアダプタ２０を含めた後段のカセットテープレコーダ装置３０に接続されるときには強制的にＯＦＦとする。これによって、カーステレオ装置から出力された音の歪みを防ぐことができる。
【００２８】
図４には、低域押し上げ回路１０６と、音量レベル回路１０７と、ヘッドフォン出力部１６と、マイクロコンピュータ１５の回路具体例と接続関係を示す。なお、説明を簡略するためアナログ信号を扱う構成とした。
【００２９】
ヘッドフォン出力部１６のヘッドフォンジャック１１は、Ｒ用端子１１Ｒ、Ｌ用端子１１Ｌ及びＣＯＭ用端子１１ＣＯＭの３端子に、前記検出信号用の検出用端子１１Ｄを加えた合計４端子のものを使用する。Ｒ用端子１１Ｒには、Ｒチャンネル（ｃｈ）増幅器（ＡＭＰ）１１０Ｒの増幅出力が供給される。また、Ｌ用端子１１Ｌには、Ｌチャンネル（ｃｈ）増幅器（ＡＭＰ）１１０Ｌの増幅出力が供給される。また、ＣＯＭ用端子１１ＣＯＭには、ＣＯＭＡＭＰ１１２の出力が供給される。
【００３０】
ＲｃｈＡＭＰ１１０Ｒは、音量レベル回路１０７のボリュームダイヤル（可変抵抗）１０７Ｒによってレベルが決定されたオーディオ信号を入力端子（＋）で受ける。一方、反転入力端子（−）には出力信号がフィードバックされる。ＬｃｈＡＭＰ１１０Ｌも、ボリュームダイヤル（可変抵抗）１０７Ｌによってレベルが決定されたオーディオ信号を入力端子（＋）で受け、また出力信号のフィードバックを反転入力端子（−）で受けている。
【００３１】
ＣＯＭＡＭＰ１１２の入力端子（＋）には、ヘッドフォンラインのカップリングコンデンサを不要にするため約１ＶのＤＣ電圧１１１が出力されている。またまた出力信号のフィードバックを反転入力端子（−）で受けている。
【００３２】
ヘッドフォンジャック１１の検出用端子１１Ｄは、前述したように、ヘッドフォンジャック１１に挿入された接続用プラグ２１又は接続用プラグ５１の構造に基づいて検出信号を生成し、生成した検出信号をマイクロコンピュータ１５の入力（ＩＮ）に供給する。検出用端子１１Ｄとマイクロコンピュータ１５の入力との間には、接地との間に抵抗１１３とコンデンサ１１４が並列に挿入されている。前記検出信号が前記接続用プラグ２１であることを検出したものであるときにマイクロコンピュータ１５においてディジタル信号に変換されるデータをＬｏｗにするための抵抗と、ノイズ除去用のコンデンサである。
【００３３】
図５には、ヘッドフォン５０の接続用プラグ５１の接点と、カセットアダプタ２１の接続用プラグ２１の接点の構成を示す。図５の（Ａ）に示すヘッドフォン５０の接続用プラグ５１は、先端からＬチャンネル用接点５１Ｌ、Ｒチャンネル用接点５１Ｒ、ＣＯＭ用接点５１ＣＯＭが間に絶縁体を挟んで形成された構成である。また、図５の（Ｂ）に示すカセットアダプタの接続用プラグ２１は、先端からＬチャンネル用接点２１Ｌ、Ｒチャンネル用接点２１Ｒ、ＣＯＭ用接点２１ＣＯＭが間に絶縁体を挟んで形成され、さらにＣＯＭ用接点２１ＣＯＭには続けて絶縁部２１Ｉが形成されている。
【００３４】
このような構成の各接続用プラグ５１又は２１をＣＤプレーヤ１０のヘッドフォンジャック１１に挿入した場合のシステム動作について説明する。先ず、ヘッドフォン５０の接続用プラグ５１をＣＤプレーヤ１０のヘッドフォンジャック１１に挿入すると、Ｌチャンネル用接点５１Ｌはヘッドフォンジャック１１のＬ用端子１１Ｌに接触し、Ｒチャンネル用接点５１ＲはＲ用端子１１Ｒに接触する。また、ＣＯＭ用接点５１ＣＯＭはＣＯＭ用端子１１ＣＯＭと検出用端子１１Ｄに接触する。すると、ＣＯＭ用端子１１ＣＯＭと検出用端子１１Ｄは、ＣＯＭ用接点５１ＣＯＭを介して接続されることになり、ＣＯＭＡＭＰ１１２の入力端子（＋）に供給されている約１ＶのＤＣ電圧１１１はマイクロコンピュータ１５のＡ／Ｄ入力端子に出力される。このときマイクロコンピュータ１５は特にオーディオ制御処理部１０５に対してコントロール信号を出さない。
【００３５】
一方、カセットアダプタ２０の接続用プラグ２１をＣＤプレーヤ１０のヘッドフォンジャック１１に挿入すると、Ｌチャンネル用接点５２Ｌはヘッドフォンジャック１１のＬ用端子１１Ｌに接触し、Ｒチャンネル用接点２１ＲはＲ用端子１１Ｒに接触する。また、ＣＯＭ用接点２１ＣＯＭはＣＯＭ用端子１１ＣＯＭと接触するが、絶縁体２１Ｉがそれに続いているため、検出用端子１１Ｄとは接触しない。したがって、カセットアダプタ２０（接続用プラグが４接点）を使用した場合、ＣＯＭＡＭＰ１１２とマイクロコンピュータ１５のＡ／Ｄ入力端子はＯＰＥＮになり、Ａ／Ｄ入力端子は“Ｌ”となる。このとき、マイクロコンピュータ１５は、オーディオ制御処理部１０５のボリュームダイヤル（可変抵抗）１０７Ｒ及び１０７Ｒに対して、車載用に最適化されたレベルとなるような値に可変するようにボリュームコントロール信号を送る。また、マイクロコンピュータ１５は、オーディオ制御処理部１０５の低域押し上げ回路１０６における低域押し上げ処理機能をオフにするブーストコントロール信号を送る。
【００３６】
次に、図６にはマイクロコンピュータ１５にて行われる処理手順を示す。前述したシステム動作の中でマイクロコンピュータ１５が行う制御処理を説明するものである。マイクロコンピュータ１５のＡＤ入力端子には、各接続用プラグ５１又は２１がＣＤプレーヤ１０のヘッドフォンジャック１１に挿入されることによって、０．８〜１Ｖ（Ｈ）がかかるか又はＬとなったままである。これをステップＳ１にて判定し、ＨであればステップＳ２に進む。ステップＳ２においてマイクロコンピュータ１５は、オーディオ制御処理回路１０５内の低域押し上げ（ＢＡＳＳ  ＢＯＯＳＴ）回路１０６に低域押し上げ処理機能をオフにするためのブーストコントロール信号を送る。また、マイクロコンピュータ１５は、オーディオ制御処理回路１０５内の音量レベル回路１０７に各ボリュームダイヤル１０７Ｌ、Ｒを調整するためのボリュームコントロール信号を送る。ステップＳ１にてＡＤ入力端子がＬであると判定するとステップＳ４に進み、オーディオ制御処理回路１０５へは前記各コントロール信号を出力しない。
【００３７】
このようなマイクロコンピュータ１５の処理手順によれば、ＣＤプレーヤ１０にヘッドフォン５０が接続され、ユーザによって低域押し上げ処理機能オン、音量最大気味に設定された状態で音楽がリスニングされていた後でも、適正な音量、音質でカーステレオ装置から音楽を聞くことができる。すなわち、図７に示すように、ユーザがヘッドフォン５０を接続したＣＤプレーヤ１０にて低域押し上げオン、ボリューム最大気味で音楽をリスニングしていた（ステップＳ１１）のち、車の中で聞くためヘッドフォン５０をはずし、ＣＤプレーヤ１０のヘッドフォンジャック１１にカセットアダプタ２０の接続用プラグ２１を接続したとする（ステップＳ１２）。すると、ヘッドフォンジャック１１のＣＯＭ用端子１１ＣＯＭと検出用端子１１Ｄが接続用プラグ２１の絶縁部２１Ｉにより絶縁される（ステップＳ１３）。このため、マイクロコンピュータ１５のＡ／Ｄ入力端子の電圧は０Ｖとなる（ステップＳ１４）。マイクロコンピュータ１５は、オーディオ制御処理回路１０５内の低域押し上げ回路１０６及び音量レベル回路１０７に前記ブーストコントロール信号及びボリュームコントロール信号を送る（ステップＳ１５）。これにより、ＤＳＰ１３のオーディオ制御処理回路１０５内の低域押し上げ回路１０６及び音量レベル回路１０７は、低域押し上げ処理機能をオフにし、音量レベルをカーステレオ装置の適正レベルにセットする。ＣＤプレーヤ１０の低域押し上げ処理機能をオフにしておけば、後はカーステレオ装置側の低域押し上げスイッチ等で操作できる。また、ＣＤプレーヤ１０の音量レベルを中位以下に下げておけば、後はカーステレオ装置のボリュームダイヤルでの調整のみで済む。また、音量レベル及び低域押し上げ処理機能については、オーディオ制御処理回路１０５内にデジタル値とゲイン値を設定したテーブルを予め用意しておき、選択するようにしてもよい。
【００３８】
以上説明したように、第１の実施の形態のＣＤオーディオ再生システム１にあってＣＤプレーヤ１０は、マイクロコンピュータ１５の制御により、ヘッドフォン出力部１６から供給される検出信号に基づいてオーディオ制御処理部１０５におけるオーディオ制御処理を切り換える。前記検出信号が外部オーディオ処理装置はカセットアダプタ２０であることを示す接続プラグ２１に関するものであったときには、ＣＤプレーヤ１０のボリュームダイヤルの設定位置にかかわらず、カセットアダプタ２０を含めた後段のカセットテープレコーダ装置３０に最適化された音量レベルを音量レベル回路１０７にて調整し送出する。これによって、大きな音がスピーカ４０Ｌ、４０Ｒから出ることはない。また、低域押し上げ回路１０６は、ＣＤプレーヤ１０にて低域押し上げ処理がＯＮにされていても、カセットアダプタ２０を含めた後段のカセットテープレコーダ装置３０に接続されるときには強制的にＯＦＦとされる。これによって、カーステレオ装置から出力された音の歪みを防ぐことができる。
【００３９】
なお、ＣＤプレーヤ１０は、カセットアダプタではなく、図８に示すように、ＦＭトランスミッタ７０に接続され、カーステレオ装置７３のＦＭチューナ７４を介して、カーステレオ装置のアンプ７５及びスピーカ７６Ｌ、７６ＲからＣＤ再生音を出力するＣＤオーディオ再生システム６０（第２の実施の形態）に用いられてもよい。
【００４０】
ＦＭトランスミッタ７０は、携帯型ＣＤプレーヤ１０のヘッドフォンジャック１１に接続される接続用プラグ７１をケーブル７２の先端に設けている。ＦＭトランスミッタ７０は、ＣＤプレーヤ１０のヘッドフォンジャック１１に接続用プラグ７１を接続すると、ＣＤオーディオ信号を受け取り、ＦＭ変調後、ＦＭアンテナを経由してＦＭチューナ７４に供給する。ＦＭチューナ７４によって選局され、復調されたのちＣＤオーディオ信号はアンプ７５により増幅され、スピーカ７６Ｌ、７６Ｒから出力される。
【００４１】
接続用プラグ７１は、前記図５の（Ｂ）に示した構成と同じである。したがって、この第２の実施の形態のＣＤオーディオ再生システム６０は、前記図６、図７のフローチャートで示したマイクロコンピュータ１５の制御により、ヘッドフォン出力部１６から供給される検出信号に基づいてオーディオ制御処理部１０５におけるオーディオ制御処理を切り換える。前記検出信号が外部オーディオ処理装置はＦＭトランスミッタ７０であることを示す接続プラグ７１に関するものであったときには、ＣＤプレーヤ１０のボリュームダイヤルの設定位置にかかわらず、ＦＭトランスミッタ７０を含めた後段のカーステレオ装置７３に最適化された音量レベルを音量レベル回路１０７にて調整し送出する。これによって、大きな音がスピーカ７６Ｌ、７６Ｒから出ることはない。また、低域押し上げ回路１０６は、ＣＤプレーヤ１０にて低域押し上げ処理がＯＮにされていても、ＦＭトランスミッタ７０を含めた後段のカーステレオ装置７３に接続されるときには強制的にＯＦＦとされる。これによって、カーステレオ装置から出力された音の歪みを防ぐことができる。
【００４２】
さらに、ＣＤプレーヤ１０は、カセットアダプタ、ＦＭトランスミッタではなく、図９に示すように、家庭内に置かれたミニ、フル等のステレオ装置に接続されアンプ９３及びスピーカ９４Ｌ、９４ＲからＣＤ再生音を出力するＣＤオーディオ再生システム８０（第３の実施の形態）に用いられてもよい。
【００４３】
ステレオ装置９０は、携帯型ＣＤプレーヤ１０のヘッドフォンジャック１１に接続される接続用プラグ９１をケーブル９２の先端に設けている。ステレオ装置９０は、ＣＤプレーヤ１０のヘッドフォンジャック１１に接続用プラグ９１を接続すると、ＣＤオーディオ信号を受け取り、アンプ９３で増幅した後、スピーカ９４Ｌ、９４Ｒから出力する。
【００４４】
接続用プラグ９１は、前記図５の（Ｂ）に示した構成と同じである。したがって、この第３の実施の形態のＣＤオーディオ再生システム８０は、前記図６、図７のフローチャートで示したマイクロコンピュータ１５の制御により、ヘッドフォン出力部１６から供給される検出信号に基づいてオーディオ制御処理部１０５におけるオーディオ制御処理を切り換える。前記検出信号が外部オーディオ処理装置はステレオ装置９０であることを示す接続プラグ９１に関するものであったときには、ＣＤプレーヤ１０のボリュームダイヤルの設定位置にかかわらず、ステレオ装置９０に最適化された音量レベルを音量レベル回路１０７にて調整し送出する。これによって、大きな音がスピーカ９４Ｌ、９４Ｒから出ることはない。また、低域押し上げ回路１０６は、ＣＤプレーヤ１０にて低域押し上げ処理がＯＮにされていても、ステレオ装置９０に接続されるときには強制的にＯＦＦとされる。これによって、ステレオ装置９０から出力された音の歪みを防ぐことができる。
【００４５】
なお、本発明の明細書においては、前記各実施の形態として、ＣＤを再生するＣＤプレーヤを用いたＣＤオーディオ再生システムを挙げたが、ＭＤを再生するＭＤプレーヤを用いたＭＤオーディオ再生システムにも本発明を適用できるのはもちろんである。ＤＶＤプレーヤ等にも適用できる。さらに、ハードディスク、半導体メモリ、磁気テープを記録媒体とし、かつライン出力端子を持たない携帯型のオーディオ再生装置を含めたシステムにも適用できる。
【００４６】
また、カセットアダプタ２０は、車載のカセットテープレコーダ装置３０に装着する例を挙げたが、家庭内等で使用されるいわゆるラジオカセットデッキ装置のカセットデッキ部に装着してもよい。
【００４７】
【発明の効果】
本発明によれば、外部に接続される外部オーディオ処理装置の種類に基づいて前記オーディオ制御処理手段のオーディオ制御処理を切り換えるので、ボリュームダイヤルの設定位置にかかわらず外部オーディオ処理装置を含めた後段の装置に最適化された音量レベルを送出することができる。また、低域押し上げ処理等を行う音質調整回路をＯＮにしていても、前記外部オーディオ処理装置を含めた後段の装置に接続されるときには強制的に音質調整回路がＯＦＦとされ、後段の装置から出力された音の歪みを防ぐことができる。
【図面の簡単な説明】
【図１】第１の実施の形態となるＣＤオーディオ再生システムの構成図である。
【図２】ＣＤプレーヤの構成を示すブロック図である。
【図３】低域押し上げ処理機能を説明するための特性図である。
【図４】オーディオ制御処理回路と、ヘッドフォン出力部と、マイクロコンピュータの回路具体例と接続関係を示す図である。
【図５】ヘッドフォンの接続用プラグの接点と、カセットアダプタの接続用プラグの接点の構成を示す図である。
【図６】ＣＤプレーヤのマイクロコンピュータにて行われる処理手順を示すフローチャートである。
【図７】ＣＤプレーヤにヘッドフォンが接続され、ユーザによって低域押し上げ処理機能オン、音量最大気味に設定された状態で音楽がリスニングされていた後の、本システムの動作を説明するためのフローチャートである。
【図８】第２の実施の形態となるＣＤオーディオ再生システムの構成図である。
【図９】第３の実施の形態となるＣＤオーディオ再生システムの構成図である。
【符号の説明】
１，６０，８０  ＣＤオーディオ再生システム、１０  ＣＤプレーヤ、１１  ヘッドフォンジャック、１３  ＤＳＰ、１５  マイクロコンピュータ、１６  ヘッドフォン出力部、２０  カセットアダプタ、３０  カセットテープレコーダ装置、１０５  オーディオ制御処理回路、１０６  低域押し上げ回路、１０７  音量レベル回路
【図１】
2004303349.tif 000003
【図２】
2004303349.tif 000004
【図３】
2004303349.tif 000005
【図４】
2004303349.tif 000006
【図５】
2004303349.tif 000007
【図６】
2004303349.tif 000008
【図７】
2004303349.tif 000009
【図８】
2004303349.tif 000010
【図９】
2004303349.tif 000011